(57)【要約】【課題】  特に工具の使用を必要とせず、いつでも簡単に取り付け又は取り外しを行うことができる時計バンドを提供すること。【解決手段】  時計ケース１に設けられたラグ３と時計バンド２とを貫通して、時計ケース１に時計バンド２を保持させる軸状に形成されたバネ棒５を有する時計バンド２において、バネ棒５の軸方向に略直交して突設されたレバー部１０を操作することで、バネ棒５の軸方向に沿う長さが伸縮可能になるように構成する。【選択図】  図１
0003103041.tif 000002
【実用新案登録請求の範囲】
【請求項１】
時計ケースに設けられたバンド取付部と時計バンドとを貫通して、前記時計ケースに前記時計バンドを保持させる軸状に形成された係止部材を有する時計バンドにおいて、
その係止部材の軸方向に略直交して突設されたレバー部を操作することで、前記係止部材の軸方向に沿う長さが伸縮可能に構成されたことを特徴とする時計バンド。
【請求項２】
前記係止部材は、前記係止部材の両端に配されるピンと、前記ピンが内挿可能に構成された筒部と、前記ピンの間に配されるバネとからなり、前記ピンの少なくとも片側に前記レバー部が突設された請求項１記載の時計バンド。
【請求項３】
前記時計バンドの端部に、前記係止部材が挿入可能な孔部と、その孔部に前記係止部材を挿入したときに前記レバー部が通過可能な溝部とが、一体に形成された請求項１又は２記載の時計バンド。
【考案の詳細な説明】
【技術分野】
【０００１】
本考案は、時計ケースに時計バンドを保持させる係止部材を備えた時計バンドに関する。
【背景技術】
【０００２】
図４は時計ケースを裏蓋側から見た一部破断図であり、図５は従来の時計バンドが備える係止部材（バネ棒）の片側断面図である。
【０００３】
図４に示すように、一般的な時計ケース１には、ラグ３と呼ばれる突起状の取り付け部が形成されており、このラグ３に形成されたラグ孔４に、時計バンド２２の端部２２ａを貫通する係止部材１５の両端を嵌挿させることで、時計バンド２２を連結可能に構成している。このような係止部材１５として、従来より図５に示すようなバネ棒２０、２１が知られている。図５（ａ）に示すバネ棒２０は、その両端に配されるピン１８と、そのピン１８を内挿可能に構成された筒部１６と、ピン１８の間に配されたバネ１７とからなる。したがって、ピン１８に軸方向の力を加えて押し縮めることで、バネ棒２０の伸縮が可能となる。また、後述する時計バンドの取り付け及び取り外しを容易にするために、図５（ｂ）に示すような、ピン１９に一対の鍔部２３が形成されたバネ棒２１が知られている。
【０００４】
上記バネ棒を用いて時計バンドを取り付ける方法は、以下の通りである。まず、時計バンドの端部２２ａにバネ棒２０又はバネ棒２１を貫通させた状態で、ピン１８又はピン１９の片側をラグ孔４に嵌挿させる。次に、バネ棒２０の場合、先細の工具でピン１８の他側を押し縮めながら時計バンド２２をラグ３の間に配置し、その工具を取り外してピン１８の付勢を解除することで、ピン１８の他側をラグ孔４に嵌挿させることができる。一方、バネ棒２１の場合、先端Ｕ字型の工具を用意し、その工具の先端でピン１９の他側の鍔部２３を引っ掛けてピン１９を押し縮めながら時計バンド２２をラグ３の間に配置する。そして、その工具を取り外してピン１９の付勢を解除することで、ピン１９の他側をラグ孔４に嵌挿させることができる。
【０００５】
逆に、上記バネ棒によって連結された時計バンドを取り外す際には、バネ棒２０の場合、ラグ孔４の外側から図４のＡ方向に先細の工具を挿入し、ピン１８を押し縮めてラグ孔４との係止を解除することで、時計バンド２２を取り外すことができる。また、バネ棒２１の場合、ラグ３と時計バンド２２の間に先端Ｕ字型の工具を挿し込み、ピン１９の鍔部２３を引っ掛けてピン１９を押し縮めることで、ラグ孔４との係止を解除して時計バンド２２を取り外すことができる。
【０００６】
以上のように、従来の時計バンドにおいては、その取り付け及び取り外しにおいて工具の使用を必要とし、いつでも簡単に時計バンドの交換を行えるものではなかった。また、工具は先細形状を呈するものであるため、作業時に手元が狂った場合などに時計ケースや時計バンドを傷付けることがあった。
【考案の開示】
【考案が解決しようとする課題】
【０００７】
そこで、本考案の目的は、工具の使用を必要とせず、いつでも簡単に取り付け又は取り外しを行うことができる時計バンドを提供することにある。
【課題を解決するための手段】
【０００８】
上記目的を達成するため、本考案の時計バンドは、時計ケースに設けられたバンド取付部と時計バンドとを貫通して、前記時計ケースに前記時計バンドを保持させる軸状に形成された係止部材を有する時計バンドにおいて、その係止部材の軸方向に略直交して突設されたレバー部を操作することで、前記係止部材の軸方向に沿う長さが伸縮可能に構成されている。
【０００９】
本考案に係る時計バンドによれば、レバー部を操作することで係止部材の軸方向に沿う長さが伸縮可能に構成されているため、時計ケースへの時計バンドの取り付け又は取り外しを容易に行うことができる。当該レバー部は、係止部材の軸方向に略直交して突設されたものであるため、特別な工具を使用せずに指先で簡単に操作することができ、時計バンドの交換をいつでも好きなときに行うことができる。また、従来のように時計ケース等を工具で誤って傷付けることがなくなるため、時計の取り扱いが良好となる。
【００１０】
上記において、前記係止部材は、前記係止部材の両端に配されるピンと、前記ピンが内挿可能に構成された筒部と、前記ピンの間に配されるバネとからなり、前記ピンの少なくとも片側に前記レバー部が突設されているものが好ましい。
【００１１】
上記構成の係止部材を有することにより、上述の機能を有する時計バンドをより具体的に提供することができる。すなわち、レバー部を操作するだけでピンを軸方向に押し縮めることが可能となり、工具を使用せずに係止部材を伸縮させることができる。これにより、時計バンドの取り付け及び取り外しを容易に行うことができる。
【００１２】
上記において、前記時計バンドの端部に、前記係止部材が挿入可能な孔部と、その孔部に前記係止部材を挿入したときに前記レバー部が通過可能な溝部とが、一体に形成されたものが好ましい。
【００１３】
上記のように、時計バンドの端部に係止部材が挿入可能な孔部とレバー部が通過可能な溝部とが一体に形成されていることにより、時計バンドへの係止部材の取り付け及び取り外しを容易に行うことができ、係止部材の交換作業を簡便に行うことができる。
【考案を実施するための最良の形態】
【００１４】
［第１実施形態］
図１は、時計ケース１に本考案に係る時計バンド２を取り付けた図であり、時計ケース１の裏蓋側から見た一部破断図である。図２は、バネ棒５の構成を説明する一部破断図である。
【００１５】
図１において、時計ケース１の上方両側には突起状のラグ３（前記バンド取付部に相当する。）が形成されており、ラグ３の間に時計バンドの端部２ａが配置されている。そして、ラグ３に形成されたラグ孔４に、時計バンドの端部２ａを貫通するバネ棒５（前記係止部材に相当する。）の両端を嵌挿することで、時計バンド２の保持を可能としている。
【００１６】
図２に示すように、バネ棒５は、両端に配されるピン６、７と、ピン６、７が内挿可能に構成された筒部８と、ピン６、７の間に配されるバネ９とからなる。ピン７には、ピン６、７の軸方向に略直交してレバー部１０が突設されており、図１に示すように、レバー部１０は時計バンドの端部２ａおよび筒部８に形成された長孔２ｂ、８ａから突出している。また、レバー部１０は、先端に図２に示すような頭部１０ａが形成されたものが好ましい。
【００１７】
上記のように構成された時計バンドによれば、指先によるレバー部１０の操作だけで、ピン７を押し縮めてバネ棒５の伸縮を行うことができるため、時計バンド２の取り付け及び取り外しを従来よりも容易に行うことができる。
【００１８】
例えば、時計バンド２を取り付ける際は、指先によるレバー部１０の操作でピン７を押し縮めた状態で時計バンドの端部２ａをラグ３間に配置し、そのピン７の付勢を解除するだけでラグ孔４への嵌挿が行われる。同様に、時計バンド２を取り外す際は、指先によるレバー部１０の操作でピン７を押し縮めるだけで、ラグ孔４とピン７との係止を解除することができるため、時計バンドの端部２ａをラグ３間から容易に離間させることができる。
【００１９】
このように本発明に係る時計バンドによれば、工具を使用することなく容易に取り付け及び取り外しを行うことができる。よって、いつでも簡単に、時計ケース等を工具で傷付けることなく、時計バンドの交換を行うことができる。
【００２０】
［第２実施形態］
図３は、図２に示した形態と別形態の時計バンドを示す一部破断図である。図３に示す時計バンド１２では、その端部１２ａにバネ棒５が挿入可能な孔部１３と、その孔部１３にバネ棒５を挿入したときにレバー部１０が通過可能な溝部１４が一体に形成されている。これにより、バネ棒５を軸方向に移動させるだけで、時計バンド１２へのバネ棒５の取り付け及び取り外しができるため、バネ棒５の交換をより容易に行うことができる。
【００２１】
なお、本発明に係る時計バンドの材質は特に限定されず、革製や金属製、プラスチック製などであってもよい。また、本発明に係る時計バンドは、図１のようなラグ孔４がラグ３の外側に貫通している時計ケースに限られず、ラグ孔４が貫通していないものにも好適に取り付けることができる。
【図面の簡単な説明】
【００２２】
【図１】時計ケースに取り付けた時計バンドを時計ケースの裏蓋側から見た一部破断図
【図２】本発明に係る時計バンドが有するバネ棒の一部破断図
【図３】本考案に係る別形態の時計バンドの一部破断図
【図４】従来の時計バンドを時計ケースの裏蓋側から見た一部破断図
【図５】従来の時計バンドが備えるバネ棒の片側断面図
【符号の説明】
【００２３】
１      時計ケース
２      時計バンド
３      ラグ
４      ラグ孔
５      バネ棒
６、７  ピン  
８      筒部
１０    レバー部
【図１】
0003103041.tif 000003
【図２】
0003103041.tif 000004
【図３】
0003103041.tif 000005
【図４】
0003103041.tif 000006
【図５】
0003103041.tif 000007